(57)【要約】【課題】１枚のブランクから容易に組み立て可能であり、かつ、別部材を組み合わせることなく底面板付近に仕切部材が設けられ、容器表面が傷ついたり破損することを防止できるキャリーケースを提供すること。【解決手段】上方が開放されて容器等を収容可能な収容空間を有する２つの収容部１０１と、持ち運ぶための把持部１０２とを有するキャリーケース１００であって、収容部１０１が、開放側の上端で他方の収容部１０１と連接する連接面１０３を有し、把持部１０２が連接面１０３から上方に設けられ、２つの収容部１０１が、共通の正面板１１０及び側面板１２０、１４０を分断し、共通の背面板１３０を２つ折りすることで形成されていること。【選択図】図１
2017154786.tif 000002
【特許請求の範囲】
【請求項１】
上方が開放されて容器等を収容可能な収容空間を有する２つの収容部と、前記収容部を持ち運ぶための把持部とを有するキャリーケースであって、
前記収容部が、開放側の上端で他方の収容部と連接する連接面を有し、
前記把持部が、前記連接面に密着して上方に延びるように設けられ、
前記収容部が、下方で容器等を支持する底面部材と、前記連接面を構成する背面板と、前記背面板と対向する正面板と、２つの側面板とを有し、
２つの前記収容部は、共通の前記正面板及び前記側面板が分断され、共通の前記背面板が２つ折りされて形成されていることを特徴とするキャリーケース。
【請求項２】
前記収容部が、前記底面板側に仕切部材を有することを特徴とする請求項１に記載のキャリーケース。
【請求項３】
前記仕切部材は、前記背面板に固定される部分を有し、
前記把持部は、前記仕切部材の前記背面板に固定される部分から上方に延びるように形成されていることを特徴とする請求項２に記載のキャリーケース。
【請求項４】
前記収容部、前記把持部及び前記仕切部材が１枚のシート状のブランクから形成されていることを特徴とする請求項３に記載のキャリーケース。
【請求項５】
前記ブランクが、前記正面板、第１側面板、前記背面板、第２側面板、及び、前記仕切部材及び前記把持部を構成する延長板とを有し、
前記正面板と前記第１側面板、前記第１側面板と前記背面板、前記背面板と前記第２側面板、前記第２側面板と前記延長板とが、それぞれ罫線を介して連接し、
それぞれの前記罫線が折られ、前記延長板が所定の形状に折り込まれ前記背面板と前記延長板の一部が接着されて筒状に形成されるように構成され、
前記正面板、前記第１側面板、前記背面板及び前記第２側面板の少なくとも１つが、前記底面部材を形成するフラップを有し、
前記正面板、前記第１側面板及び前記第２側面板が、２つに分断可能な連続する分断線を有し、
前記背面板が、前記分断線と連続する折曲線を有することを特徴とする請求項４に記載のキャリーケース。
【請求項６】
前記延長板が、前記正面板の半分の幅の延長正面部と、前記側面板と同一の幅の延長横断部と、前記背面板と接着する延長背面部とを有し、
前記延長横断部が、前記延長正面部に対して前記分断線の延長線を挟んだ２箇所から延びるように２つ形成され、
前記延長背面部が、２つの前記延長横断部からそれぞれ延びるように形成され、
前記延長背面部の一方が、前記把持部を構成する延長把持部を有し、
前記延長把持部が、前記分断線の延長線を超えて延びるように形成されていることを特徴とする請求項５に記載のキャリーケース。
【発明の詳細な説明】
【技術分野】
【０００１】
本発明は、上方が開放されて容器等を収容可能な収容空間を有する２つの収容部と、収容部を持ち運ぶための把持部とを有するキャリーケースに関する。
【背景技術】
【０００２】
ジュースやビール等の飲料や、その他の内容物を包装した複数個の缶、瓶等の筒状容器を収容し一度に持ち運ぶため、上方が開放されて容器等を収容可能な収容空間を有する２つの収容部と、収容部を持ち運ぶための把持部とを有するキャリーケースが公知である。
また、紙製のキャリーケースとして、１枚のシート状のブランクから形成されるものが公知である。
例えば、特許文献１で公知のキャリーケース（ハンドキャリア容器）は、把持部（把持板１３）の両側方に、上方が開放されて容器等を収容可能な収容空間を有する２つの収容部を有しており、各収容部は、それぞれ１つの仕切部材（仕切板）によって２つに区画され、計４本の容器を収容するように構成されており、１枚のブランクから組み立てられるものである。
【先行技術文献】
【特許文献】
【０００３】
【特許文献１】特開２０１２−０９１８５１号公報
【発明の概要】
【発明が解決しようとする課題】
【０００４】
しかしながら、特許文献１等で公知のキャリーケースは、ブランクの状態で周囲が複雑な形状を呈していることから、組み立て時のブランクのハンドリングが複雑になり、組み立て作業に手間がかかるという問題があった。
また、底面付近では仕切部材が存在せず、容器を上方から収容部に挿入する際や、収容後の持ち運び等で振動や揺動が生じた際に、容器の底部付近が接触・衝突し、容器表面が傷ついたり破損する虞があった。
特に、ガラス容器の場合、破損すると非常に危険なために、緩衝用の仕切部材を別部材として形成し、組み立て時、あるいは使用時に底部付近に組み合わせる必要があった。
【０００５】
そこで本発明は、容易に組み立て可能であり、かつ、別部材を組み合わせることなく底面板付近に仕切部材が設けられ、容器表面が傷ついたり破損することを防止できるキャリーケースを提供することを目的とする。
【課題を解決するための手段】
【０００６】
本発明は、上方が開放されて容器等を収容可能な収容空間を有する２つの収容部と、前記収容部を持ち運ぶための把持部とを有するキャリーケースであって、前記収容部が、開放側の上端で他方の収容部と連接する連接面を有し、前記把持部が、前記連接面に密着して上方に延びるように設けられ、前記収容部が、下方で容器等を支持する底面部材と、前記連接面を構成する背面板と、前記背面板と対向する正面板と、２つの側面板とを有し、２つの前記収容部は、共通の前記正面板及び側面板が分断され、共通の前記背面板が２つ折りされて形成されていることより、前記課題を解決するものである。
【発明の効果】
【０００７】
本請求項１に係る発明のキャリーケースによれば、収容部が、開放側の上端で他方の収容部と連接する連接面を有し、把持部が連接面に密着して上方に延びるように設けられていることにより、２つの収容部がそれぞれ独立し、連接面が２つの収容部の仕切りとして底面まで設けられるため、別部材を組み合わせることなく底面板付近に仕切部材が設けられ、容器表面が傷ついたり破損することを防止できる。
また、把持部が連接面に密着して上方に延びるように設けられていることで、連接面を構成する背面板の強度を低下させることがなく重量バランスの良い中心部で把持することができ、重量の大きい容器を収容して携帯する場合でも、キャリーケースの変形や破損を防止することができる。
また、収容部が、下方で容器等を支持する底面部材と、連接面を構成する背面板と、背面板と対向する正面板と、２つの側面板とを有し、２つの収容部は、共通の正面板及び側面板が分断され、共通の背面板が２つ折りされて形成されていることにより、分断前は２つの収容部の開放側が対向した状態の単純な箱形状となるため、ブランクの状態で周囲を単純な形状とすることができ、容易に組み立てることが可能となる。
さらに、使用直前に共通の正面板及び側面板を分断すればよく、底面板のみ展開した状態で畳めば長方形に近い形の平板状となるため、組み立て、糊付け後の使用時までの搬送、保管が容易となる。
【０００８】
本請求項２に記載の構成によれば、収容部が、底面板側に仕切部材を有することにより、２つの収容部をそれぞれ複数に区画して４本以上の容器を収容可能としつつ、各収容部内で隣り合う区画に収容された容器の接触・衝突を防止することが可能となる。
本請求項３に記載の構成によれば、仕切部材は、背面板に固定される部分を有し、把持部は、仕切部材の背面板に固定される部分から上方に延びるように形成されていることにより、少ない材料で仕切部材、把持部を構成することができ、かつ、少ない工程で堅牢なキャリーケースを組み立てることが可能となる。
本請求項４に記載の構成によれば、収容部、把持部及び仕切部材が１枚のシート状のブランクから形成されていることにより、容易に組み立てることが可能となる。
本請求項５に記載の構成によれば、ブランクが仕切部材及び把持部を構成する延長板を有し、延長板を所定の形状に折り込んで背面板と延長板の一部を接着することで筒状に形成されるように構成されていることにより、１枚のブランクから、底面板付近の仕切部材と連接面から上方に設けられる把持部を容易に、無駄なく形成することが可能となる。
本請求項６に記載の構成によれば、延長板を１枚のブランクから無駄なく構成できるとともに、収容部、仕切部材及び把持部を確実に固定でき、強度に優れたキャリーケースとすることが可能となる。
【図面の簡単な説明】
【０００９】
【図１】本発明の一実施形態であるキャリーケースの使用形態の斜視図。
【図２】本発明の一実施形態であるキャリーケースのブランク状態の平面図。
【図３】組み立て工程の第１段階の説明図。
【図４】組み立て工程の第２段階の説明図。
【図５】組み立て工程の第３段階の説明図。
【図６】組み立て工程の第４段階の説明図。
【図７】組み立て工程の第５段階の説明図。
【図８】組み立て工程の第６段階の説明図。
【図９】本発明の他の実施形態であるキャリーケースのブランク状態の平面図。
【図１０】本発明のさらに他の実施形態であるキャリーケースのブランク状態の平面図。
【発明を実施するための形態】
【実施例１】
【００１０】
本発明の一実施形態であるキャリーケース１００について図面に基づいて説明する。
キャリーケース１００は、図１に示すように、上方が開放されて容器等を収容可能な収容空間を有する２つの収容部１０１と、収容部１０１を持ち運ぶための把持部１０２とをしている。
２つの収容部１０１は、開放側の上端で他方の収容部１０１と連接する連接面１０３を有し、把持部１０２が連接面１０３から上方に設けられている。
キャリーケース１００は、組立前は、図２に示すように平面に展開されたブランク材の状態であり、１枚の段ボールシートを打ち抜いて形成されている。
ブランク材は、正面板１１０、第１側面板１２０、背面板１３０、第２側面板１４０、仕切部材及び把持部１０２を構成する延長板１５０とを有し、正面板１１０と第１側面板１２０、第１側面板１２０と背面板１３０、背面板１３０と第２側面板１４０、第２側面板１４０と延長板１５０とが、それぞれ罫線を介して連接し、それぞれの罫線が折られ、延長板１５０が所定の形状に折り込まれ、背面板１３０と延長板１５０の一部が接着されて筒状に形成されるように構成されている。
【００１１】
正面板１１０の両側（図２の上下）には、２つの収容部のそれぞれの底面部材を形成する底面板１６０を有し、第１側面板１２０及び第２側面板１４０の両側（図２の上下）には、２つの収容部のそれぞれの底面部材を形成するフラップ１６１を有し、背面板１３０の両側（図２の上下）には、２つの収容部のそれぞれの底面部材を形成する底面板１６０に差し込んで固定する固定片１３１を有している。
正面板１１０、第１側面板１２０及び第２側面板１４０は、２つに分断可能な連続する分断線１８１を有し、背面板１３０は、分断線１８１と連続する折曲線１８２を有している。
延長板１５０は、正面板１１０の半分の幅の延長正面部１５１と、第１側面板１２０及び第２側面板１４０と同一の幅の延長横断部１５２と、背面板１３０と接着する延長背面部１５３とを有している。
延長横断部１５２は、延長正面部１５１に対して分断線１８１の延長線を挟んだ２箇所から延びるように２つ形成されている。
延長背面部１５３は、２つの延長横断部１５２からそれぞれ延びるように形成されている。
延長背面部１５３の一方は、把持部１０２を構成する延長把持部１５４ａを有し、延長把持部１５４は、分断線１８１の延長線を超えて延びるように形成されている。
また、本実施形態では、延長背面部１５３から分断線１８１と反対側（図示下方）に延びる延長把持部１５４ａと対称な形状の延長把持部１５４ｂを有し、折り重ねて接着することで、把持部１０２の強度を向上するように構成されている。
【００１２】
以上のように構成された本発明の一実施形態であるキャリーケース１００の組み立て工程について説明する。
まず、図２の状態のブランク材の下方の延長把持部１５４ｂを、図３に示すように、上方の延長把持部１５４ａと一致するように上方に折り曲げて接着剤等で固定する。
次に、図３の状態から、延長板１５０を第２側面板１４０に対して折り曲げて、図４に示すように、延長背面部１５３及び延長把持部１５４ｂを背面板１３０と接着剤等で固定する。
次に、図４の状態から、第１側面板１２０を背面板１３０に対して折り曲げて、図５に示すように、正面板１１０を延長正面部１５１と接着剤等で固定する。
この状態までは、一般的な成形機械で製造可能であり、平面状で外形の突出部も少ないため、積み重ねや搬送等を容易に行うことが可能である。
【００１３】
次に、図５の状態から、全体を筒状とするとともに、フラップ１６１及び底面板１６０を折り曲げ、固定片１３１を挿入することで底板部材を形成し、図６に示すような直方体の形状に構成する。
図６の状態から、正面板１１０、第１側面板１２０及び第２側面板１４０を分断線１８１で分断し、背面板１３０の折曲線１８２に沿って折り曲げると、図７、図８に示すように、延長把持部１５４が露出して背面板１３０上に立ち上がり、背面板１３０を密着させることで、最終的に図１に示すようなキャリーケース１００が形成される。
また、図８に示すように、全体を筒状とした際に、２つの収容部１０１の内部で延長横断部１５２が底面板１６０付近に設けられる仕切部材を形成する。
図５の状態から、図８を経て図１に示す最終形状のキャリーケース１００を形成する工程は、販売店等での実際の使用時に人手によって行われる。
【００１４】
なお、ブランク材１枚の厚みでも把持部１０２の強度が十分な場合は、図９に示すように、延長背面部１５３ｃを、分断線１８１の延長線を超えて延びるように形成された延長把持部１５４ｃのみを備えたものとしてもよい。
また、図１０に示すように、底面部材を正面板１１０、第１側面板１２０、背面板１３０及び第２側面板１４０からそれぞれ延びる、フラップ１６１ａ、１６１ｂ、１６１ｃ、１６１ｄを組み合わせて形成するように構成されてもよい。
このような底面部材とする場合、延長横断部１５２ｄの底面側は組立時の干渉を避ける形状に形成される。
【符号の説明】
【００１５】
１００  ・・・  キャリーケース
１０１  ・・・  収容部
１０２  ・・・  把持部
１０３  ・・・  連接面
１０４  ・・・  底面部材
１０５  ・・・  仕切部材
１１０  ・・・  正面板
１２０  ・・・  第１側面板
１３０  ・・・  背面板
１３１  ・・・  固定片
１４０  ・・・  第２側面板
１５０  ・・・  延長板
１５１  ・・・  延長正面部
１５２  ・・・  延長横断部
１５３  ・・・  延長背面部
１５４  ・・・  延長把持部
１６０  ・・・  底面板
１６１  ・・・  フラップ
１８１  ・・・  分断線
１８２  ・・・  折曲線
１８３  ・・・  接着部
【図１】
2017154786.tif 000003
【図２】
2017154786.tif 000004
【図３】
2017154786.tif 000005
【図４】
2017154786.tif 000006
【図５】
2017154786.tif 000007
【図６】
2017154786.tif 000008
【図７】
2017154786.tif 000009
【図８】
2017154786.tif 000010
【図９】
2017154786.tif 000011
【図１０】
2017154786.tif 000012